(57)【要約】【課題】この発明は、簡易な構成で、高効率なファン冷却構造を実現し得、且つ、簡便にして容易な保守点検を実現し得るようにすることにある。【解決手段】積重配置されたアンプ１１の約二台分の厚さ寸法を有する排気ファン２０を、積重方向と直交する方向に二台、併設配置したファンユニット１９を形成し、このファンユニット１９の二台の排気ファン２０で、それぞれが積重配置される二台のアンプ１１の一方の排熱を分担して行うように構成した。【選択図】      図４
2007243728.tif 000002
【特許請求の範囲】
【請求項１】
積重状に内装される複数のアンプを挟んで対向する両壁面の一方に空気吸気口が設けられ、前記両壁面の他方に空気排気口が設けられる筐体と、
この筐体内の前記空気吸気口と前記空気排気口との間に収容され、前記複数のアンプが積重状に収容される棚体と、
この棚体に積重状に収容された前記複数のアンプの少なくとも二台分の厚さ寸法に対応して設けられ、前記筐体の空気吸気口と空気排気口との間を連通するダクト部材と、
このダクト部材に装着される前記筐体の空気吸気口側から前記空気排気口方向に少なくとも二台の排気ファンが前記積重配置される少なくとも二台のアンプに対応して併設され、前記二台の排気ファンで前記空気吸気口から空気を取り込み前記二台のアンプに導いた後、前記空気排気口に排出するファンユニットと、
を具備することを特徴とする送信装置。
【請求項２】
前記ファンユニットは、前記ダクト部材に前記アンプの積重方向に複数個が積重状に取付け配置されることを特徴とする請求項１記載の送信装置。
【請求項３】
前記ダクト部材には、前記ファンユニットの排気ファン毎の排気路を形成する仕切り板が、前記棚体に積重状に配置された１台のアンプに対応して設けられることを特徴とする請求項１又は２記載の送信装置。
【請求項４】
前記ファンユニットは、前記ダクト部材に対して空気吸気口側から着脱自在に装着されることを特徴とする請求項１乃至３のいずれか記載の送信装置。
【請求項５】
前記筐体の空気吸気口及び空気排気口は、前記アンプを挟んだ対角位置に設けられることを特徴とする請求項１乃至４のいずれか記載の送信装置。
【発明の詳細な説明】
【技術分野】
【０００１】
この発明は、例えば複数のアンプが内装されるテレビジョン送信機等の送信装置に関する。
【背景技術】
【０００２】
一般に、この種の送信装置は、熱を発生する複数のアンプが筐体に積重状に収容配置される。このため、このような送信装置においては、筐体内に収容配置した複数のアンプからの熱量を、排気ファンを用いて強制的に筐体の外部に排気して冷却する排気構成が備えられる。
【０００３】
ところで、上記送信装置を含む電子機器の排気構成としては、例えば熱を発生する発熱源となる基板が複数段、積重状に収容される複数の制御装置用筐体を、併設して配置し、この複数の筐体の天面間にファンユニットを配する。そして、このファンユニットは、その駆動に伴って冷却風を、複数の筐体の天面から強制的に供給することにより、各筐体内に内装された複数の基板の冷却を行うようにしたファン共用構成のものが提案されている（例えば、特許文献１参照。）。
【０００４】
また、このような排気構成としては、その他、複数の発熱ユニットをフレーム及びガイドを介して積重状に配置して、フレームには、発熱ユニットに対応して開閉可能な開口を設ける。そして、このフレームには、冷却ファンが開口に対向して配置され、その開口を開閉することで、この開口を通して冷却ファンからの冷却風が所望の発熱ユニットに選択的に導かれて冷却を行うようにした冷却構成のものも提案されている（例えば、特許文献２参照。）。
【特許文献１】特開２００４−１７９５１８号公報
【特許文献２】特開平１０−１３０７１号公報
【発明の開示】
【発明が解決しようとする課題】
【０００５】
しかしながら、上記特許文献１では、複数の筐体に対して同一のファンユニットを用いて冷風を供給し、それぞれの基板を冷却する構成である。また、特許文献２では、冷却ファンからの冷却風を、開口を介して選択的に所望の発熱ユニットに供給して冷却する構成である。
【０００６】
このため、特許文献１及び２のいずれの構成にあっても、そのファンユニット及び冷却ファンが故障すると、複数の筐体内の冷却及び複数の発熱ユニットの全ての冷却が困難となる。
【０００７】
この発明は、上記の事情に鑑みてなされたもので、簡易な構成で、高効率なファン冷却構造を実現し得、且つ、簡便にして容易な保守点検を実現し得るようにした送信装置を提供することを目的とする。
【課題を解決するための手段】
【０００８】
この発明は、積重状に内装される複数のアンプを挟んで対向する両壁面の一方に空気吸気口が設けられ、前記両壁面の他方に空気排気口が設けられる筐体と、この筐体内の前記空気吸気口と前記空気排気口との間に収容され、前記複数のアンプが積重状に収容される棚体と、この棚体に積重状に収容された前記複数のアンプの少なくとも二台分の厚さ寸法に対応して設けられ、前記筐体の空気吸気口と空気排気口との間を連通するダクト部材と、このダクト部材に装着される前記筐体の空気吸気口側から前記空気排気口方向に少なくとも二台の排気ファンが前記積重配置される少なくとも二台のアンプに対応して併設され、前記二台の排気ファンで前記空気吸気口から空気を取り込み前記二台のアンプに導いた後、前記空気排気口に排出するファンユニットとを備えて送信装置を構成した。
【０００９】
上記構成によれば、ファンユニットの排気ファンは、積重配置された少なくともアンプ二台分の厚さ寸法を有するものを少なくとも二台、併設配置して、この二台で、それぞれが積重配置される二台のアンプの一方の排熱を分担して行っていることにより、アンプ形状に影響を受けることなく、その大口径化を図ることが可能となる。
【００１０】
従って、小型化を確保したうえで、容易に排熱出力の増加を図ることが可能となり、アンプの大出力化の促進を図ることができる。また、アンプ毎の独立した保守点検が可能なことにより、簡便にして容易な保守点検が実現される。
【発明の効果】
【００１１】
以上述べたように、この発明によれば、簡易な構成で、高効率なファン冷却構造を実現し得、且つ、簡便にして容易な保守点検を実現し得るようにした送信装置を提供することができる。
【発明を実施するための最良の形態】
【００１２】
以下、この発明の実施の形態について、図面を参照して詳細に説明する。
【００１３】
図１は、この発明の一実施の形態に係る送信装置の前面側から見た状態を示すもので、筐体１０には、その略中央部に複数台のアンプ１１が後述する棚体１２を介して積重状に内装される。この筐体１０の前面における積重配置された複数のアンプ１１の一方の側部には、例えば縦長のアンプ排熱用の空気吸気口１３が設けられる。
【００１４】
この筐体１０の背面には、図２に示すようにアンプ排熱用の空気排気口１７が、例えば上記前面側の空気吸気口１３と上記積重状に内装される複数のアンプ１１を挟んだ対角位置に縦長に設けられる。
【００１５】
このように、筐体１０は、その前面及び背面に空気吸気口１３及び空気排気口１７を配置して排熱を行うように構成していることにより、複数個を並べて設置しても、それぞれの排熱路が確保されると共に、保守点検作業が可能となることで、その設置上における制約が軽減される。
【００１６】
上記棚体１２には、図３に示すようにその一方の側部に複数の吸気窓１２１が上記筐体１０の空気吸気口１３に対向して設けられ、その他方の側部に複数の排気窓１２２が上記筐体の空気排気口１７に対向して設けられる。
【００１７】
この複数の吸気窓１２１及び排気窓１２２は、積重配置するアンプ１１の数に対応して複数対が積重方向に所定の間隔を有して設けられる。そして、この棚体１２の吸気窓１２１及び排気窓１２２間には、上記複数のアンプ１１が、例えば矢印方向に抜脱自在に装着される。これにより、棚体１２の吸気窓１２１及び排気窓１２２間に装着されたアンプ１１は、該吸気窓１２１及び排気窓１２２を介して上記空気吸気口１３及び空気排気口１７に連通されて空気路が形成される。
【００１８】
また、棚体１２には、例えばファン冷却構造を構成する、四個の排気窓１２２を二個分毎に閉塞するダクト部材１８が取付けられる。このダクト部材１８は、上記筐体１０の空気排気口１７に連通され、その先端部の上下両端に、レール案内機構を構成する一対の案内レール１８１が設けられる。そして、この一対の案内レール１８１には、ファンユニット１９の上下端部に設けられる一対の案内部１９１が図４及び図５中矢印方向に移動自在に挿入され（但し、図４及び図５中では、一方側の案内部のみを図示）、該ファンユニット１９が棚体１２のダクト部材１８の先端部に着脱可能に取付けられる。
【００１９】
これにより、ファンユニット１９は、筐体１０の前面側から棚体１２のダクト部材１８への挿入及び離脱が、該ダクト部材１８の案内レール１８１に案内されて行われるために、その保守点検を容易に行うことができる。
【００２０】
ファンユニット１９には、例えば図４に示すように一辺がアンプ１１二台分の寸法を有する角形状の排気ファン２０が二台、アンプ積重方向と直交する前後方向に併設されて取付けられる。
【００２１】
また、上記ダクト部材１８には、例えば図６に示す空気案内板１８２が上記棚体１２の二つの排気窓１２２に対応して設けられる。この空気案内板１８２は、ダクト部材１８内を棚体１２の二つの排気窓１２２の一方とファンユニット１９の二台の排気ファン２０の一方とによる空気路、他方と他方とによる空気路とに分離形成する。すなわち、ダクト部材１８は、その空気案内板１８２により、棚体１２の二つの排気窓１２２に対応して空気路的に分離された状態で、上記筐体１０の空気排気口１７に連通される。
【００２２】
ここで、例えば１００ｍｍ程度の高さ寸法を有するアンプ１１を、棚体１２を介して筐体１０内に積重配置する送信機構造の場合には、ファンユニット１９に配する排気ファン２０として２００ｍｍ程度のものを用いることが可能となり、アンプ１１の高さ寸法に比して径大な排気ファン２０の配置が可能となる。この排気ファン２０の形状寸法としては、例えば最大でアンプ１１の二台分の厚さ寸法まで設定することが可能となる。
【００２３】
上記構成により、筐体１０内のアンプ１１が駆動されると、ダクト部材１８に装着されたファンユニット１９の排気ファン２０が駆動される。すると、ファンユニット１９の二台の排気ファン２０は、ダクト部材１８の空気案内板１８２で分離される二つの空気路を介して筐体１０の空気吸気口１３から外気を取込んで異なるアンプ１１内に循環させ、その熱量を上記筐体１０の空気排気口１７から排気する。
【００２４】
ここで、筐体１０内に棚体１２を介して積重配置された二台のアンプ１１は、ダクト部材１８に装着されたファンユニット１９の二台の排気ファン２０により独立して排気されて、安定した送信動作が可能に熱制御される。同時に、筐体１０内の他のアンプ１１は、同様に他のユニットファン１９を介して熱量が排熱されて安定した送信動作が可能に熱制御される。
【００２５】
また、上記二台のアンプ１１の一方を駆動する場合には、ファンユニット１９の二台の排気ファン２０のうち対応する一台を駆動して停止するアンプ１１に対応する他方を停止させる。ここで、ダクト部材１８は、その空気案内板１８２により、その空気路がファンユニット１９のファン毎に分離形成されていることで、駆動される一方の排気ファン２０が、そのアンプ１１を通して筐体１０の空気吸気口１３から外気を取込んで、筐体１０の空気排気口１７に排気案内して排熱を可能とする。
【００２６】
この際、ファンユニット１９は、ダクト部材１８の空気案内板１８２により駆動される排気ファン２０と停止する排気ファン２０との間の空気路が分離されることで、一方の駆動にともなう排気の流れが、停止される排気ファン２０側に逆流したりするのが確実に防止されて、その駆動される排気ファン２０の、いわゆる風の短絡が発生することがない。このようにファンユニット１９は、例えば一台の排気ファン２０が停止された状態においても、残りの一台の排気ファン２０により、対応するアンプ１１の排熱を単独に行うことができることにより、二台のうちの一方のアンプ１１の送信動作を可能に熱制御することができる。
【００２７】
この結果、例えば使用中において、ファンユニット１９の一台の排気ファン２０が故障してしまったような場合においても、正常な残りの一台を用いてアンプ１１の高精度な熱制御を行うことで、その安定した送信動作を継続することができるため、最小限の送信性能を確保することができる。
【００２８】
また、上記ファンユニット１９の保守点検等を行うような場合には、筐体１０の前面側からファンユニット１９を、矢印方向に引き出して、その案内部１９１をダクト部材１８の案内レール１８１から抜脱させて、棚体１２から取り外すことにより、その作業が行われる。
【００２９】
このように、上記送信装置は、積重配置されたアンプ１１の約二台分の厚さ寸法を有する排気ファン２０を、積重方向と直交する方向に二台、併設配置したファンユニット１９を形成し、このファンユニット１９の二台の排気ファン２０で、それぞれが積重配置される二台のアンプ１１の一方の排熱を分担して行うように構成した。
【００３０】
これによれば、排気ファン２０の形状をアンプ形状より大きく設定することが可能となるために、装置の小型化を確保したうえで、容易に排熱出力の増加を図ることが可能となり、アンプ１１の大出力化の促進を容易に図ることができる。また、これによれば、排気ファン２０をアンプ１１毎に独立に配していることにより、故障した排気ファン２０のみを交換するだけで、残りの排気ファン２０を用いてアンプ１１の排熱が可能となり、該アンプ１１を用いた運用が実現されるため、最小限の運用を行いながらの保守点検が実現される。
【００３１】
なお、上記実施の形態では、積重配置される二台のアンプ１１に対応して前後方向に二台の排気ファン２０を設けたファンユニット１９を配置するように構成した場合で説明したが、この配置構成に限ることなく、その他、三台以上のアンプに対応して前後方向に三台以上の排気ファンを設けたファンユニットを用いるように構成することも可能で、さらに排気ファンの大径化を図ることが可能となる。
【００３２】
即ち、この三台以上のアンプの排気を三台の排気ファンを用いて排気する構成の場合には、ダクト部材を、例えば三個以上の吸気窓を閉塞するように形成して、その先端部に排気ファンを前後方向に三台以上併設したファンユニットを取り付けると共に、ダクト部材内の空気路を三個以上の吸気窓に対応して分離する空気案内板を設ける。
【００３３】
この三台以上のアンプを対象とするダクト部材としては、その他、三個以上の吸気窓を一組として複数組を閉塞するようにして、一組毎にファンユニットを取付けるように構成してもよい。
【００３４】
また、上記実施の形態では、排気ファン２０として角形状のものを用いて構成した場合で説明したが、これに限ることなく、各種形状のファン構造のものを用いて構成することが可能である。
【００３５】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３６】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３７】
【図１】この発明の一実施の形態に係る送信装置を前面側から見た状態を示した斜視図である。
【図２】図１を背面側から見た状態を示した斜視図である。
【図３】図１の筐体に内装される棚体を取出して示した斜視図である。
【図４】図３の棚体のダクト部材にファンユニットを装着した状態を示した斜視図である。
【図５】図４の一部を拡大して示した一部斜視図である。
【図６】図３のダクト部材に設けられる空気案内板を取出して示した斜視図である。
【符号の説明】
【００３８】
１０…筐体、１１…アンプ、１２…棚体、１２１…吸気窓、１２２…排気窓、１３…空気吸気口、１７…空気排気口、１８…ダクト部材、１８１…案内レール、１８２…空気案内板、１９…ファンユニット、１９１…案内部、２０…排気ファン。
【図１】
2007243728.tif 000003
【図２】
2007243728.tif 000004
【図３】
2007243728.tif 000005
【図４】
2007243728.tif 000006
【図５】
2007243728.tif 000007
【図６】
2007243728.tif 000008